(57)【特許請求の範囲】
【請求項１】
鍵盤部が内装された楽器本体と、
閉蓋状態で少なくとも前記鍵盤部を覆う鍵盤蓋と、
前記鍵盤蓋を前記楽器本体に対して回動自在に連結する連結機構部とを有し、
前記連結機構部を、前記鍵盤蓋及び前記楽器本体の少なくとも一方に対して取り付ける際に、前後方向及び上下方向を含む垂直平面に平行な方向における前記鍵盤蓋及び前記楽器本体の前記少なくとも一方に対する前記連結機構部の位置が、少なくとも一方向に調整可能なように構成され、
前記鍵盤蓋は、前側蓋と後側蓋とが回動軸を中心に回動自在に連結されてなり、前記連結機構部は、前記鍵盤蓋のうち前記前側蓋に取り付け可能であり、前記鍵盤蓋の前記後側蓋は、前記鍵盤蓋の閉蓋状態において、前記回動軸を中心に回動させることで前記楽器本体の内部を開放可能であり、前記後側蓋を回動させて生じた開放部分を通じて前記連結機構部の位置の調整作業を行えるように構成されたことを特徴とする鍵盤楽器の鍵盤蓋構造。
【請求項２】
前記連結機構部の位置は、前記垂直平面に平行な任意の方向に位置調整可能であることを特徴とする請求項１記載の鍵盤楽器の鍵盤蓋構造。
【請求項３】
前記連結機構部は、前記鍵盤蓋及び前記楽器本体の左側部同士を連結する左側連結機構部と前記鍵盤蓋及び前記楽器本体の右側部同士を連結する右側連結機構部とからなり、前記左側連結機構部と前記右側連結機構部とは、独立して位置調整可能であることを特徴とする請求項１または２記載の鍵盤楽器の鍵盤蓋構造。
【請求項４】
前記連結機構部の位置調整をする際に、前記連結機構部を前記鍵盤蓋及び前記楽器本体の前記少なくとも一方に対して移動可能なように仮締結する仮締結手段と、前記連結機構部を位置調整した状態で前記鍵盤蓋及び前記楽器本体の前記少なくとも一方に対して前記連結機構部を固定する固定用締結手段とを有することを特徴とする請求項１〜３のいずれか１項に記載の鍵盤楽器の鍵盤蓋構造。
【請求項５】
前記鍵盤蓋及び前記楽器本体の前記少なくとも一方には、下穴が形成されており、前記連結機構部を、その位置決め前の所定の位置で、前記鍵盤蓋及び前記楽器本体の前記少なくとも一方に対して前記下穴を介して組み付ける定位置締結具を有し、前記定位置締結具は、前記連結機構部を前記所定の位置に対して位置変更する際に取り外し可能に構成されていることを特徴とする請求項４記載の鍵盤楽器の鍵盤蓋構造。
【発明の詳細な説明】
【技術分野】
【０００１】
本発明は、鍵盤部を覆う鍵盤蓋と楽器本体とを回動自在に連結する連結機構部を設けた鍵盤楽器の鍵盤蓋構造に関する。
【背景技術】
【０００２】
従来、鍵盤楽器において、鍵盤部を覆う鍵盤蓋と楽器本体とを回動自在に連結する連結機構部を設けたものが知られている。例えば、下記特許文献１では、鍵盤蓋にロータリダンパを取り付けると共に、楽器本体の腕木に、ロータリダンパのダンパ軸に係合する係合部材を取り付け、鍵盤蓋が楽器本体に対して回動する際、ロータリダンパが付勢力を発生させるように構成される。
【特許文献１】特開昭６３−４１８９８号公報
【発明の開示】
【発明が解決しようとする課題】
【０００３】
しかしながら、上記特許文献１では、ロータリダンパは鍵盤蓋に固定され、係合部材は腕木に固定されているため、鍵盤蓋と楽器本体との位置関係は、ダンパ軸を中心とした回動を除けば固定的であり、例えば、閉蓋状態及び開蓋状態における鍵盤蓋の楽器本体に対する相対的位置を所望の位置に調整することはできなかった。また、両者の組み付け後においても調整することができなかった。そのため、鍵盤蓋と、楽器本体における口棒部等との相対的位置関係が適切となるように、ロータリダンパや係合部材のほか、鍵盤蓋や楽器本体の各部の精度を高くする必要があった。
【０００４】
一方、鍵盤蓋と楽器本体との間に、ロータリダンパを介在させて回動自在に連結する鍵盤楽器の鍵盤蓋構造においては、上記係合部材のような介在部材を介在させ、該介在部材のサイズを複数設けて、位置調整の際に適したサイズの介在部材を採用して組み付けることで、鍵盤蓋と楽器本体との位置関係の調整を一応可能にする手法も考えられる。しかしながら、このようにすると、介在部材を複数用意しなければならず、構成が複雑化してコストが上昇する。しかも、調整は段階的にしか行えないため、最適な位置に調整することは困難である。また、一旦、いずれかの介在部材を組み付けに用いて鍵盤蓋の位置を確認した後に、最も適切なサイズの介在部材に交換するという、二度手間となる作業が発生し、作業効率が悪いという問題が発生する。
【０００５】
本発明は上記従来技術の問題を解決するためになされたものであり、その目的は、鍵盤蓋を楽器本体に対して組み付ける際、鍵盤蓋の位置を適切に調整することができる鍵盤楽器の鍵盤蓋構造を提供することにある。
【課題を解決するための手段】
【０００７】
上記目的を達成するために本発明の請求項１の鍵盤楽器の鍵盤蓋構造は、鍵盤部が内装された楽器本体と、閉蓋状態で少なくとも前記鍵盤部を覆う鍵盤蓋と、前記鍵盤蓋を前記楽器本体に対して回動自在に連結する連結機構部とを有し、前記連結機構部を、前記鍵盤蓋及び前記楽器本体の少なくとも一方に対して取り付ける際に、前後方向及び上下方向を含む垂直平面に平行な方向における前記鍵盤蓋及び前記楽器本体の前記少なくとも一方に対する前記連結機構部の位置が、少なくとも一方向に調整可能なように構成され、前記鍵盤蓋は、前側蓋（３１）と後側蓋（３２）とが回動軸（３０）を中心に回動自在に連結されてなり、前記連結機構部は、前記鍵盤蓋のうち前記前側蓋に取り付け可能であり、前記鍵盤蓋の前記後側蓋は、前記鍵盤蓋の閉蓋状態において、前記回動軸を中心に回動させることで前記楽器本体の内部を開放可能であり、前記後側蓋を回動させて生じた開放部分を通じて前記連結機構部の位置の調整作業を行えるように構成されたことを特徴とする。
【０００８】
好ましくは、前記連結機構部の位置は、前記垂直平面に平行な任意の方向に位置調整可能である（請求項２）。また、好ましくは、前記連結機構部は、前記鍵盤蓋及び前記楽器本体の左側部同士を連結する左側連結機構部と前記鍵盤蓋及び前記楽器本体の右側部同士を連結する右側連結機構部とからなり、前記左側連結機構部と前記右側連結機構部とは、独立して位置調整可能である（請求項３）。
【０００９】
好ましくは、前記連結機構部の位置調整をする際に、前記連結機構部を前記鍵盤蓋及び前記楽器本体の前記少なくとも一方に対して移動可能なように仮締結する仮締結手段（５９、５２）と、前記連結機構部を位置調整した状態で前記鍵盤蓋及び前記楽器本体の前記少なくとも一方に対して前記連結機構部を固定する固定用締結手段（５３、６３）とを有する（請求項４）。
【００１０】
好ましくは、前記鍵盤蓋及び前記楽器本体の前記少なくとも一方には、下穴（２１）が形成されており、前記連結機構部を、その位置決め前の所定の位置で、前記鍵盤蓋及び前記楽器本体の前記少なくとも一方に対して前記下穴を介して組み付ける定位置締結具（５８）を有し、前記定位置締結具は、前記連結機構部を前記所定の位置に対して位置変更する際に取り外し可能に構成されている（請求項５）。
【００１１】
なお、上記括弧内の符号は例示である。
【発明の効果】
【００１３】
本発明の請求項１によれば、鍵盤蓋を楽器本体に対して組み付ける際、鍵盤蓋の位置を適切に調整することができる。また、鍵盤蓋を連結機構部を介して楽器本体に対して組み付けた後においても、鍵盤蓋の位置の調整作業を容易に行うことができる。
【００１４】
請求項２によれば、鍵盤蓋の楽器本体に対する位置を、前後方向及び上下方向を含む垂直平面において所望の位置に調整することができる。
【００１５】
請求項３によれば、鍵盤蓋の楽器本体に対する左右方向に対する傾き乃至ねじれを調整することができる。
【００１６】
請求項４によれば、調整機構の構成が簡単である。
【００１７】
請求項５によれば、一律に位置調整作業をする必要がなく、連結機構部が初期位置のまま位置調整が必要ない場合は、連結機構部を改めて固定する必要もなく、作業を簡略化することができる。
【発明を実施するための最良の形態】
【００１８】
以下、本発明の実施の形態を図面を参照して説明する。
【００１９】
（第１の実施の形態）
図１は、本発明の第１の実施の形態に係る鍵盤蓋構造が適用される鍵盤楽器の左側部前部の平面図である。図２は、図１のＡ−Ａ線に沿う断面図である。本鍵盤楽器は、楽器本体１００が、不図示の脚部で保持されてなり、例えば、アップライトピアノとして構成される。以降、楽器本体１００の左右方向は、奏者からみた方向を基準とし、前後方向については、楽器本体１００の奏者側を「前方」とする。
【００２０】
楽器本体１００の前部において、棚板１１には、それぞれ複数のシーソー型の白鍵４１、黒鍵４２からなる鍵盤部ＫＢが配設される。楽器本体１００の左右両側部前部には腕木１３が配設されている。棚板１１の前端部上部において、左右の腕木１３間に亘って口棒１２が配設されている。鍵盤部ＫＢの後部上方には、不図示のハンマアクションが設けられている。以降、楽器本体１００において、右側部の構成は図示しないが、左右対称の構成要素については、符号も区別することなく、左側の構成要素を代表して説明する。
【００２１】
また、楽器本体１００の前部には、蓋ユニットＵＮＴが設けられる。蓋ユニットＵＮＴは、前蓋３１と後蓋３２とが蝶番等の連結部３０で回動自在に連結されてなり、さらに、後蓋３２の左右両端部の後面側に、被ガイド部３３（図２参照）が突設されている。
【００２２】
図２に示すように、蓋ユニットＵＮＴの後端上方において、上前板１４が楽器本体１００の全幅に亘って設けられる。上前板１４の左右に離間した２箇所には、緩衝用のゴムボタン１５が取り付けられている。図２では、蓋ユニットＵＮＴの閉蓋状態が表されている。また、図１では、上前板１４の図示が省略されている。
【００２３】
鍵盤部ＫＢの左右両側には拍子木１６が設けられ、腕木１３と拍子木１６との間に山板１７が設けられる。山板１７の後部の腕木１３側の面には、後述するロータリダンパ５５のダンパ軸５６と干渉しないための逃げ部１７ａが形成されている（図１参照）。また、左右の山板１７の後部同士の間に亘って、各鍵の上方への揺動を規制する鍵盤押さえ１８が配設されている。また、山板１７の後方には、蓋ユニットＵＮＴの開閉時に被ガイド部３３を案内する山板後１９が配設されている。
【００２４】
左右の腕木１３の内側面には、連結機構部ＣＯＮが設けられる。蓋ユニットＵＮＴは、その両側部において、連結機構部ＣＯＮを介して腕木１３に回動自在に組み付けられている。連結機構部ＣＯＮは左右のものが左右対称であるが同一構成であるので、左側のものを代表して説明する。
【００２５】
図３は、連結機構部ＣＯＮの構成を示す分解図である。連結機構部ＣＯＮは、金属製で板状の回転金具３５、外装が金属製のロータリダンパ５５、金属製のプレート５０、及びこれらを固定するネジ等の各種締結具（後述）等から構成される。ロータリダンパ５５からは、ダンパ軸５６が突出している。ロータリダンパ５５は、公知の構成のものであり、ダンパ軸５６を中心とした回動に対して付勢力を発生させる。ロータリダンパ５５には、プレート５０に固定されるための穴５７、５７が形成されている。
【００２６】
回転金具３５には、蓋ユニットＵＮＴの前蓋３１の左端部／右端部に固定されるための穴３６、３６が形成されている。回転金具３５には、回動支点部４０が設けられ、可動部３８が、回動支点部４０を中心に回動自在にされて、固定部３７に対して開閉可能になっている。可動部３８の摘み部３９を持って、可動部３８を開いた状態で、ロータリダンパ５５のダンパ軸５６を可動部３８と固定部３７との間に入れ、その後、可動部３８を閉じることで、可動部３８と固定部３７とでダンパ軸５６を挟み込む。これにより、回転金具３５がダンパ軸５６に係合する。なお、回転金具３５には、可動部３８が閉じた状態でロックされる簡単なロック機構が設けられ（図示せず）、容易には開かないようになっている。
【００２７】
プレート５０には、ロータリダンパ５５を固定するためのネジ穴５４、５４が穴５７、５７に対応して設けられている。プレート５０とロータリダンパ５５とは、皿ネジ４５、４５（図５参照）を穴５７、５７を介してネジ穴５４、５４に螺合することで、固定される。プレート５０にはまた、腕木１３に固定されるための穴５１、５２、５３が２つずつ形成されている。
【００２８】
図４（ａ）は、腕木１３の前半部の平面図、図４（ｂ）〜（ｄ）は、連結機構部ＣＯＮと腕木１３との取り付け部分を示す断面図である。図５は、連結機構部ＣＯＮが取り付けられた左側の腕木１３の部分を内側（右側）からみた側面図である。
【００２９】
まず、図４（ａ）に示すように、腕木１３には、凹部２０が形成されている。凹部２０は、ロータリダンパ５５が嵌入される前側凹部２０ａとプレート５０が嵌入される後側凹部２０ｂとが連設されてなる。凹部２０は、後述するロータリダンパ５５及びプレート５０の位置調整の際に、ロータリダンパ５５及びプレート５０が、前後方向及び上下方向を含む「垂直平面」において移動可能となるように、余裕を持って形成されている。後側凹部２０ｂには、下穴２１、２２が２つずつ形成される。下穴２１、２２は、プレート５０の穴５１、５２に対応するものであり、プレート５０が腕木１３に取り付けられる以前に所定の位置に開けられている。
【００３０】
プレート５０を腕木１３に位置を調整しつつ取り付ける際に用いる締結具は、いずれも鉄製等の皿木ネジ５８、６３及びトラスタッピングネジ５９である（図４（ｂ）〜（ｄ）参照）。このうち、皿木ネジ５８、トラスタッピングネジ５９は必ず用いられるが、皿木ネジ６３は、プレート５０の位置調整が必要な場合にのみ用いられる。皿木ネジ５８、６３のサイズ（ネジの呼び）は例えば３．５、トラスタッピングネジ５９のサイズは例えば５である。
【００３１】
プレート５０において、穴５１（図４（ｂ）参照）は、プレート５０を皿木ネジ５８で腕木１３に対してデフォルトの位置に固定するための締結用穴であり、例えば、ネジサイズに対応して直径がφ３．８である。穴５１の楽器本体１００の反対側（内側）には、皿木ネジ５８の頭部に対応する面取り状の座ぐり部５１ａが形成されている（図４（ｂ）参照）。皿木ネジ５８の取り付け位置は下穴２１の位置によって定まる。
【００３２】
また、プレート５０において、穴５２（図４（ｄ）参照）は、プレート５０をトラスタッピングネジ５９で腕木１３に対して仮固定し、位置調整を可能にすると共に、位置調整後には本固定にも用いるための締結用穴である。穴５２の直径は、プレート５０の移動を許容するために余裕を持たせてあり、例えば、サイズ５に対してφ９である。
【００３３】
一方、プレート５０において、穴５３（図４（ｃ）参照）は、プレート５０の位置を調整した後に、プレート５０を皿木ネジ６３で腕木１３に対して固定するための締結用穴であり、穴５１と同様に、直径がφ３．８で、面取り状の座ぐり部５３ａが形成されている。ただし、腕木１３の下穴６１は、プレート５０の位置調整が必要になったときに初めて開けられるので、蓋ユニットＵＮＴの最初の組み付け時においては、開けられておらず、その位置も定まっていない。
【００３４】
ちなみに、図５は、プレート５０の位置調整前、あるいは位置調整が不要であった場合の取り付け状態を示している。プレート５０の位置調整が必要であった場合は、図５に示す皿木ネジ５８の代わりに、穴５３の位置に皿木ネジ６３が締結されていることになる。
【００３５】
ロータリダンパ５５及びプレート５０の位置調整の説明の前に、組み付け完成された本鍵盤楽器における蓋ユニットＵＮＴの開閉動作を説明する。
【００３６】
図６は、図１のＡ−Ａ線に沿う断面の略図である。ただし、図６では、蓋ユニットＵＮＴの動きをわかりやすくするために、山板１７、ロータリダンパ５５及びプレート５０等の図示が省略されている。
【００３７】
蓋ユニットＵＮＴの閉蓋状態から、連結部３０を中心として前蓋３１を上方乃至後方に回動させると、被ガイド部３３が山板後１９の上面に対して後方にスライドする。山板後１９の上面は、後方にいくにつれてやや下方に傾斜しており、被ガイド部３３が後方にスライドするにつれて、後蓋３２がやや下方に沈みながら後方に移動していく。そして、前蓋３１の前部上部３１ｂが上前板１４のゴムボタン１５に当接した状態で、蓋ユニットＵＮＴの開蓋状態となる。閉蓋操作時は、これとは逆の動作となる。
【００３８】
次に、蓋ユニットＵＮＴの楽器本体１００への組み付けについて説明する。図７は、蓋ユニットＵＮＴの組み付け時乃至位置調整時における図２に対応する断面図である。
【００３９】
まず、腕木１３に凹部２０を形成すると共に、下穴２１、２２を形成しておく（図４（ａ）、（ｂ）、（ｄ）参照）。下穴２１の位置は、プレート５０の位置調整をしなくても済む確率が最も高くなるような位置に設定する。また、ロータリダンパ５５をプレート５０に対して皿ネジ４５、４５（図５参照）で固定しておく。さらに、蓋ユニットＵＮＴの前蓋３１の左右端部に、回転金具３５をネジ４３（図５参照）で固定しておく。これらの作業の順序は前後してもよい。
【００４０】
次に、プレート５０の穴５１、５２と腕木１３の下穴２１、２２との位置を合わせ（図４（ｂ）、（ｄ）参照）、各２つの皿木ネジ５８、トラスタッピングネジ５９で、プレート５０を腕木１３に締結固定する（図５参照）。そして、蓋ユニットＵＮＴを楽器本体１００に被せる。その際、上前板１４は装着せず、あるいは取り外しておき、図７に示すように、後蓋３２を上方乃至前方に回動させ、前蓋３１に対して対向させた折り畳み状態として、楽器本体１００に被せる。これにより、前蓋３１の後方において、楽器本体１００を開放する開放部Ｓ１が生じるので、連結機構部ＣＯＮの締結等の作業を行う際に、楽器本体１００内部に手や工具を入れることができる。
【００４１】
そして、蓋ユニットＵＮＴを図７に示す折り畳み状態としたまま、蓋ユニットＵＮＴに取り付けられた回転金具３５をロータリダンパ５５に係合させる。すなわち、可動部３８の摘み部３９を操作して、ロータリダンパ５５のダンパ軸５６を可動部３８と固定部３７とで挟み込んで係合させる（図３、図５参照）。これで、蓋ユニットＵＮＴは、一応の取り付け状態となり、前蓋３１は、回転金具３５を介してロータリダンパ５５のダンパ軸５６を中心に回動可能となり、後蓋３２は、独自に、連結部３０を中心とした回動操作が可能となる。
【００４２】
次に、一応の取り付け状態となった閉蓋状態で、蓋ユニットＵＮＴの楽器本体１００に対する相対的位置関係の適否を確認する。まず、図６に示す確認ポイントＰ１、Ｐ２において、前蓋３１の前部下端部３１ａと口棒１２との位置関係を確認する。具体的には、確認ポイントＰ１において、前蓋３１の前部下端部３１ａと口棒１２との前端位置同士が合致しているか否かを確認する。その際、前蓋３１の左右方向全幅に亘って上記前端位置同士が合致していることを確認する。さらに、確認ポイントＰ２において、前部下端部３１ａと口棒１２との上下方向の隙間が、前蓋３１の左右方向全幅に亘って均等であることを確認する。
【００４３】
次に、前蓋３１を図６の２点鎖線で示すように開蓋し、確認ポイントＰ３において、前蓋３１の閉蓋時における後端部である連結側端部３１ｃが、鍵盤押さえ１８の上端部１８ａと適切なクリアランスを有しているか否かを確認する。楽器本体１００の内部を目隠しするために、このクリアランスは小さいことが望ましいが、同時に、蓋ユニットＵＮＴの開閉動作において、鍵盤押さえ１８の上端部１８ａに前蓋３１と後蓋３２のいずれもが、全幅に亘って干渉しないようにする必要がある。そのため、開閉の全行程において、上端部１８ａと前蓋３１及び後蓋３２との干渉がないことを確認する。
【００４４】
次に、前蓋３１を開蓋したとき、確認ポイントＰ４において、前蓋３１の前部上部３１ｂが上前板１４のゴムボタン１５に適切に当接するか否かを確認する。ゴムボタン１５は、上前板１４の左右端部に１つずつ設けられるので、両ゴムボタン１５に前部上部３１ｂがほぼ同時に当接し、一方のみに隙間が生じないことを確認する。
【００４５】
以上の確認ポイントにおいて、不都合があった場合は、それらの修正すべき方向と寸法を把握しておき、プレート５０の位置調整に反映させる。仮に、位置調整が不要であった場合は、それで、蓋ユニットＵＮＴの組み付けが完了する。従って、腕木１３の下穴６１は設けられることもなく、皿木ネジ６３も締結されることがない。大半の蓋ユニットＵＮＴについては、デフォルトで定められた穴５１（図４（ｂ）参照）の位置が適切であるので、位置調整不要となる場合が多く、その場合は、作業が簡略化される。
【００４６】
一方、位置調整が必要であった場合は、ロータリダンパ５５が固定されたプレート５０の腕木１３に対する位置を腕木１３に平行な垂直平面において調整する。まず、皿木ネジ５８を２つとも完全に外すと共に、トラスタッピングネジ５９を２つとも少し緩めて仮締結状態とする。そして、穴５２（図４（ｄ）参照）の直径が許す範囲で、プレート５０を所望の位置、すなわち、上記把握した修正すべき方向と寸法に応じた位置に移動させる。その後、トラスタッピングネジ５９をしっかり締めて、穴５３を介して、腕木１３に、下穴６１（図４（ｃ）参照）を穿設する。そして、穴５３を介して、下穴６１に対して皿木ネジ６３を２つとも締結する。これにより、ロータリダンパ５５及びプレート５０が、位置調整された状態で、腕木１３に取り付けられ、蓋ユニットＵＮＴの楽器本体１００に対する適切な位置への組み付けが完了する。その後、上前板１４を組み付ける。
【００４７】
ここで、プレート５０の位置調整は、左側だけでなく、右側についても同様に行うことができ、しかも、左右独立して垂直平面における任意の方向に調整可能である。従って、蓋ユニットＵＮＴの単なる前後、上下方向の位置だけでなく、左右方向を軸とした水平方向及び上下方向の傾き乃至ねじれについても調整が可能である。これにより、蓋ユニットＵＮＴの左右方向全幅に亘って各位置を適切な位置に調整することができる。
【００４８】
ロータリダンパ５５及びプレート５０の位置調整は、主に製造工場において、蓋ユニットＵＮＴを楽器本体１００に組み付ける際になされるが、工場出荷後において、位置修正という形で行うことも可能である。その場合でも、後蓋３２を開けて開放部Ｓ１（図７参照）を生じさせることができるので、プレート５０の調整作業が容易である。
【００４９】
本実施の形態によれば、蓋ユニットＵＮＴを楽器本体１００に対して組み付ける際、プレート５０の腕木１３に対する取り付け位置を、前後方向及び上下方向を含む垂直平面に平行な方向に調整可能であるので、蓋ユニットＵＮＴの位置を適切に調整することができる。
【００５０】
また、プレート５０の位置は、上記垂直平面に平行な任意の方向に任意の量だけ（穴５２（図４（ｄ）参照）の直径が許す範囲で）無段階で調整可能であるので、蓋ユニットＵＮＴを所望の位置に微調整することができる。しかも、左右のプレート５０は、独立して調整可能であるので、蓋ユニットＵＮＴの左右方向に対する傾き乃至ねじれ等の姿勢も調整することができる。
【００５１】
また、後蓋３２を前蓋３１に対して回動自在に連結し、後蓋３２を開けて開放部Ｓ１が生じるようにしたので、開放部Ｓ１を通じて、回転金具３５とロータリダンパ５５との固定や、プレート５０の位置調整の作業を行うことができ、作業ペースを確保することができる。しかも、蓋ユニットＵＮＴを、一旦、連結機構部ＣＯＮを介して楽器本体１００に対して組み付けた後においても、蓋ユニットＵＮＴの位置の調整作業を容易に行うことができる。
【００５２】
また、プレート５０の位置調整は、トラスタッピングネジ５９を緩めた仮締結状態で行え、位置調整後は、皿木ネジ６３で固定するので、構成が簡単である。しかも、皿木ネジ５８については、プレート５０の位置調整が必要な場合は取り外し可能であると共に、プレート５０の位置調整が不要な場合は、そのまま最終的な締結具として機能する。従って、一律にプレート５０の位置調整作業をする必要がなく、位置調整が不要な場合は、皿木ネジ６３を改めて固定する必要もないので、作業を簡略化することができる。
【００５３】
なお、皿木ネジ６３が締結されるためのプレート５０の穴５３は、２箇所に（一対）設けたが、これに限られず、プレート５０の寸法を長くとって、穴５３を、３箇所以上乃至２対以上設けてもよい。そのようにすれば、一度、プレート５０の位置調整を行って、その後、経年変化や外力等によって再び調整の必要が生じた場合等において、再調整を行ったが、一度開けた下穴６１が邪魔で新たな下穴６１が開けられないような場合においても、未使用である別の穴５３に対応する位置に下穴６１を新たに穿設し、上記別の穴５３を介して、皿木ネジ６３でプレート５０の締結固定を行うことができる。なお、位置調整に何度か失敗し、未使用の穴５３がなくなった場合であっても、既に開いている下穴６１に埋め木をすることで、使用したことのある穴５３を締結に再度用いることは可能である。
【００５４】
なお、皿木ネジ５８が頑強であれば、プレート５０を腕木１３に固定する上で、トラスタッピングネジ５９は必須ではない。しかし、トラスタッピングネジ５９は補強の役割を果たすだけでなく、本鍵盤楽器の出荷、納品後において、蓋ユニットＵＮＴの位置調整が必要となった場合に、緩めて仮締結状態を作るのに有用であるので、締結しておくのが望ましい。
【００５５】
また、一律に、プレート５０の位置調整を行うことを前提とするならば、最終的な固定は、常に皿木ネジ６３及びトラスタッピングネジ５９でなされるので、皿木ネジ５８、穴５１、下穴２１は廃止してもよい。
【００５６】
なお、皿木ネジ５８、トラスタッピングネジ５９に相当する締結具を、腕木１３に対して締結できるのであれば、下穴２１、２２、６１を設けることは必須ではない。
【００５７】
（第２の実施の形態）
第１の実施の形態では、蓋ユニットＵＮＴの位置調整機構として、トラスタッピングネジ５９に対する穴５２の寸法の余裕によって、プレート５０の位置を調整可能にする機構を例示したが、蓋ユニットＵＮＴの位置を、連結機構部を介して楽器本体１００に対して垂直平面において位置調整できる機構であれば、これに限るものではない。
【００５８】
図８（ａ）は、本発明の第２の実施の形態に係る鍵盤蓋構造が適用される鍵盤楽器の左側の腕木の部分を内側（右側）からみた側面図である。第２の実施の形態では、第１の実施の形態に対して、腕木における凹部の構成、及びプレート５０に相当する部分の位置調整機構が相違する。第２の実施の形態では、腕木１３の凹部２０に代えて、腕木１１３に凹部１２０が形成される。また、プレート５０に代えて、下プレート７０及び上プレート８０が採用される。これら以外は第１の実施の形態と構成が同じであり、ロータリダンパ５５、回転金具３５、蓋ユニットＵＮＴ等も同じである。
【００５９】
図８（ｂ）は、下プレート７０及び上プレート８０の背面図である。図８（ａ）、（ｂ）に示すように、ロータリダンパ５５は、上プレート８０にネジ４５で固定される。凹部１２０は、ロータリダンパ５５と一緒に上プレート８０が移動するのに支障のない範囲に形成される。本実施の形態における連結機構部ＣＯＮ２は、回転金具３５、ロータリダンパ５５、下プレート７０、上プレート８０、及びこれらを固定するネジ等の各種締結具等から構成される。
【００６０】
腕木１１３には、上下方向（図８（ａ）、（ｂ）の上下方向）に沿って、雌ねじ７１、７２が形成されている。また、下プレート７０にも、雌ねじ７１、７２と同軸の雌ねじ６９が形成されている。そして、雌ねじ７１、６９に亘って、雄ねじ７３が螺合されると共に、雌ねじ７２、６９に亘って、雄ねじ７４が螺合されている。また、腕木１１３と下プレート７０間において、雄ねじ７３には２つのナット７５、７６、雄ねじ７４には２つのナット７７、７８が螺合されている。
【００６１】
ナット７５、７６、７７、７８を緩めて、雄ねじ７３及び雄ねじ７４を回転させることで、下プレート７０を上下方向に変位させることができる。そして、下プレート７０を適切な位置に変位させた状態で、ナット７５、７７を腕木１１３側に締めると共に、ナット７６、７８を下プレート７０側に締めれば、その位置で下プレート７０が腕木１１３に対して固定される。
【００６２】
下プレート７０の上面には、前後方向（図８（ａ）の左右方向）に沿って係合突部７９が形成されている。一方、上プレート８０の下面には、係合突部７９に嵌合的な溝部８５が形成されており、両者が嵌合している。係合突部７９に対して溝部８５が前後方向に摺動することで、上プレート８０が、下プレート７０に対して前後方向に変位することができる。
【００６３】
また、上プレート８０には、前後方向に長い長穴８１、８２が形成されている。長穴８１、８２を介して、ネジ８３、８４を締結することで、上プレート８０が下プレート７０に対して固定される。また、長穴８１、８２を設けているので、上プレート８０を前後方向における所望位置に変位させた状態で、ネジ８３、８４を締結することで、上プレート８０の下プレート７０に対する位置を調整することができる。
【００６４】
かかる構成において、蓋ユニットＵＮＴの楽器本体１００への組み付け手順は第１の実施の形態と基本的に同様である。まず、上プレート８０を下プレート７０に適当な位置で固定し、下プレート７０を腕木１１３に対して適当な位置で固定する。そして、第１の実施の形態と同様に、回転金具３５をロータリダンパ５５に係合させ、蓋ユニットＵＮＴの位置を確認する。
【００６５】
そして、位置調整の必要がある場合は、下プレート７０の位置調整と上プレート８０の位置調整を必要に応じて行う。前後及び上下の２方向に位置調整が可能であるので、垂直平面における任意の方向に蓋ユニットＵＮＴの位置を調整可能である。しかも、左右独立して調整できる点でも第１の実施の形態と同様である。
【００６６】
本実施の形態によれば、蓋ユニットＵＮＴを楽器本体１００に対して組み付ける際、蓋ユニットＵＮＴの位置、及び左右方向に対する傾き乃至ねじれ等の姿勢を適切に調整することに関し、第１の実施の形態と同様の効果を奏することができる。
【００６７】
なお、第１、第２の実施の形態では、連結機構部ＣＯＮ、ＣＯＮ２のうち、楽器本体１００に対する取り付け部分の機構に位置調整機能を設けたが、これに限るものではない。すなわち、蓋ユニットＵＮＴを楽器本体１００に対して回動自在に連結する連結機構部において、該連結機構部を蓋ユニットＵＮＴに対して取り付ける部分の機構に位置調整機能を設けてもよいし、これと、楽器本体１００に対する取り付け部分の機構の双方に設けてもよい。例えば、回転金具３５を蓋ユニットＵＮＴの前蓋３１に取り付ける部分の機構に、プレート５０及び腕木１３間の位置調整機構（第１の実施の形態）と同様の機構を設けてもよい。あるいは、下プレート７０及び上プレート８０と、下プレート７０及び腕木１１３間の機構でなる位置調整機構（第２の実施の形態）と同様の機構を設けてもよい。
【００６８】
なお、第１、第２の実施の形態において、連結機構部ＣＯＮ、ＣＯＮ２は腕木１３、１１３に対して固定されたが、楽器本体１００に対して固定的な部分であれば、腕木に限られるものではない。
【００６９】
なお、第１、第２の実施の形態における連結機構部ＣＯＮ、ＣＯＮ２は、ロータリダンパのダンパ軸を中心に蓋ユニットＵＮＴを回動させる構成であったが、これに限るものではない。例えば、ロータリダンパに代えて、ダンピング機構を有しない、単に回動する軸受けであってもよい。
【００７０】
なお、本発明は、アコースティック鍵盤楽器に限られず、電子鍵盤楽器にも適用可能である。
【図面の簡単な説明】
【００７１】
【図１】本発明の第１の実施の形態に係る鍵盤蓋構造が適用される鍵盤楽器の左側部前部の平面図である。
【図２】図１のＡ−Ａ線に沿う断面図である。
【図３】連結機構部の構成を示す分解図である。
【図４】腕木の前半部の平面図（図（ａ））、連結機構部と腕木との取り付け部分を示す断面図（図（ｂ）〜（ｄ））である。
【図５】連結機構部が取り付けられた左側の腕木の部分を内側（右側）からみた側面図である。
【図６】図１のＡ−Ａ線に沿う断面の略図である。
【図７】蓋ユニットの組み付け時乃至位置調整時における図２に対応する断面図である。
【図８】本発明の第２の実施の形態に係る鍵盤蓋構造が適用される鍵盤楽器において連結機構部が取り付けられた左側の腕木の部分を内側（右側）からみた側面図（図（ａ））、及び、下プレート及び上プレートの背面図（図（ｂ））である。
【符号の説明】
【００７２】
２１  下穴、  ３５  回転金具（係合部材）、  ３０  連結部（回動軸）、  ３１  前蓋（前側蓋）、  ３２  後蓋（後側蓋）、  ５２  穴（仮締結手段の一部）、  ５３  穴（固定用締結手段の一部）、  ５５  ロータリダンパ、  ５６  ダンパ軸、  ５８  皿木ネジ（定位置締結具）、  ５９  トラスタッピングネジ（仮締結手段の一部）、  ６３  皿木ネジ（固定用締結手段の一部）、  １００  楽器本体、  ＫＢ  鍵盤部、  ＵＮＴ  蓋ユニット（鍵盤蓋）、  ＣＯＮ、ＣＯＮ２  連結機構部
【図１】
0004839843.tif 000002
【図２】
0004839843.tif 000003
【図３】
0004839843.tif 000004
【図４】
0004839843.tif 000005
【図５】
0004839843.tif 000006
【図６】
0004839843.tif 000007
【図７】
0004839843.tif 000008
【図８】
0004839843.tif 000009